(57)【要約】      （修正有）【課題】包装媒体が変形せず、抑え板が抵抗とならず、収納容器からスムーズに包装媒体を引き出せる収納容器を提供する。【解決手段】包装媒体巻回体２を収納する収納容器３であり、底板４と、前板５と、後板６と、側面板７１、７２とを備え、直方体に形成され、底板に対向する一面３０が開口し、後板に回動可能に連接され、回動により開口した一面を塞ぐ蓋板２２と、前板に連接され、包装媒体が収納容器の外へ飛び出すのを抑え、開口面を部分的に覆う抑え板３４とを備え、包装媒体は、開口面を通して収納容器の外へ引き出され、抑え板は、連接辺に対向する対向辺３７を有し、対向辺は、抑え板の中央部の幅が両端部３４Ａの幅より狭く形成され、対向辺は、抑え板の長手方向の両端部の幅が、開口面の短辺３０Ａの長さの２０％〜９８％に形成され、抑え板の中央部の幅が、短辺の長さの０％〜５０％に形成される。【選択図】図１
2012250754.tif 000002
【特許請求の範囲】
【請求項１】
包装媒体が円筒状に巻かれた包装媒体巻回体を収納する包装媒体収納容器であって；
長方形の底板と；
前記底板の長辺の一に立設された前板と；
前記底板の他の長辺に立設された前記前板に対向する後板と；
前記底板と前板と後板とに接続された左側面板と；
前記底板と前板と後板とに接続され前記左側面板に対向する右側面板とを備えて、直方体に形成され；
前記直方体の６面のうち前記底板に対向する一面が開口し；
さらに、前記後板に回動可能に連接され、前記回動により前記開口した一面を塞ぐように構成された蓋板と；
前記底板に対向した状態で、連接辺を介して前記前板に連接され、前記包装媒体が前記包装媒体収納容器の外へ飛び出すのを抑える抑え板であって、前記開口した一面を部分的に覆う抑え板とを備え；
前記抑え板は、前記連接辺に対向する対向辺を有し；
前記対向辺は、前記抑え板の中央部における幅が両端部の幅よりも狭くなるように形成される；
包装媒体収納容器。
【請求項２】
前記対向辺は、前記抑え板の長手方向の両端部の幅が、前記開口した一面の短辺の長さの２０％から９８％の間になるように形成され、前記抑え板の長手方向の中央部の幅が、前記短辺の長さの０％から５０％の間になるように形成された；
請求項１に記載された包装媒体収納容器。
【請求項３】
前記対向辺は、前記抑え板の幅が、前記抑え板の長手方向に沿って前記中央部から前記端部に向かって、増加させるように形成された；
請求項１または請求項２に記載された包装媒体収納容器。
【請求項４】
前記対向辺は、前記抑え板の長手方向に沿って凹に形成された；
請求項１乃至請求項３のいずれか１項に記載された包装媒体収納容器。
【請求項５】
請求項１乃至請求項４のいずれか１項に記載された包装媒体収納容器と；
前記包装媒体の先端部に引き出しシートを有し、前記引き出しシートが、前記引き出しシートを摘んで、前記包装媒体を前記包装媒体収納容器の外へ引き出すことができるよう構成された装媒体巻回体とを備える；
包装媒体パッケージ。
【発明の詳細な説明】
【技術分野】
【０００１】
本発明は、包装媒体が円筒状に巻かれた包装媒体巻回体を収納する包装媒体収納容器、当該包装媒体収納容器を備える包装媒体パッケージに関し、特に、包装媒体収納容器から包装媒体を抵抗感が少なくスムーズに引き出すことができる包装媒体収納容器、当該包装媒体収納容器を備える包装媒体パッケージに関する。
【背景技術】
【０００２】
図７の斜視図、図８の断面図に示すように、従来のラップフィルムパッケージ１０１は、ラップ巻回体１０２（以下、適宜、巻回体１０２）と、巻回体１０２を収納するラップフィルム収納容器１０３（以下、適宜、収納容器１０３）とを含んで構成される。巻回体１０２は、食品包装用等に使用されるラップフィルム１１２を円筒状の巻芯１１０に巻きつけたものである。巻回体１０２は、細長い直方体形状である紙製の収納容器１０３の中に収納される。
【０００３】
収納容器１０３は、図７中、一面全体に渡って開口している開口部１３０を、上部に有する容器本体１１５と、容器本体１１５の開口部１３０を覆って蓋をするように形成され、一端が容器本体１１５に回動可能に連接された蓋板１２２とを含んで構成されている。
【０００４】
容器本体１１５は、底板１０４と、前板１０５と、後板１０６とを有する。収納容器１０３は、蓋板１２２に立設された蓋前板１２３であって、蓋板１２２が開口部１３０を塞いだときに、前板１０５に重なる蓋前板１２３を備える。蓋前板１２３の長辺１４０であって蓋前板１２３の蓋板１２２に連接された長辺１４０に対向する他端には、カッター１２４が形成されている。
【０００５】
容器本体１１５は、さらに、長手方向Ｚに長い山型の抑え板１３４を有する。抑え板１３４は、連接辺１３９で前板１０５に連接される。抑え板１３４は、蓋板１２２が開となっているとき、前板１０５の内側面１０５Ａと９２度〜１２５度の角度βをなすよう構成されている。抑え板１３４の連接辺１３９に連接されている箇所の長手方向Ｚの長さは、開口部１３０の長手方向Ｚの長さに等しく形成されている。抑え板１３４の幅は長手方向Ｚの中点１３９Ａにおいて最大となり、中点１３９Ａにおける幅は、開口部１３０の幅より短く形成されている。よって、抑え板１３４は、開口部１３４を部分的に覆い、抑え板１３４の連接辺１３９とは反対側の辺１３４Ｂとの間には、隙間１４３が形成される。ラップフィルム１１２は、隙間１４３を通って収納容器１０３の外部に引き出される。抑え板１３４は、容器本体１１５に連接辺１３９で固定されて取り付けられているが、連接辺１３９以外では固定されておらず、連接辺１３９周りに回動可能である。ラップフィルム１１２を収納容器１０３から引き出すときに、ラップフィルム１１２は抑え板１３４に接触し、抑え板１３４を収納容器１０３の内部側に向かって押すので、角度βの値は減少する。
【０００６】
ラップフィルム１１２を使用するときは、収納容器１０３を手（不図示）に持ち、蓋板１２２を開け、ラップフィルム１１２を摘んで引き出すと、巻回体１０２は収納容器１０３内で回転し、ラップフィルム１１２を巻回体１０２から剥離させ、隙間１４３を通し、収納容器１０３の外部に引き出すことができる。必要な長さのラップフィルム１１２を引き出した後に、蓋板１２２を閉め、カッター１２４を使用してラップフィルム１１２を切断し、切り離したラップフィルム１１２を使用する。
【先行技術文献】
【特許文献】
【０００７】
【特許文献１】特開平１０−２９１５４３号公報
【発明の概要】
【発明が解決しようとする課題】
【０００８】
しかし、抑え板１３４は山型をしているので、ラップフィルム１１２を収納容器１０３から引き出す場合に、ラップフィルム１１２が抑え板１３４に対し押し付けられ、ラップフィルム１１２が変形する可能性があり、このため抑え板１３４が抵抗となり、ラップフィルム１１２を収納容器１０３からスムーズに引き出すことができないという問題があった。
【０００９】
そこで、本発明は、収納容器から包装媒体を引き出すときに、包装媒体が変形することがなく、抑え板が包装媒体に対して抵抗とならず、包装媒体を収納容器からスムーズに引き出すことができる包装媒体収納容器を提供することを目的とする。
【課題を解決するための手段】
【００１０】
上記目的を達成するために、本発明の第１の態様に係る包装媒体収納容器３は、例えば図１に示すように、包装媒体１２が円筒状に巻かれた包装媒体巻回体２を収納する包装媒体収納容器３であって；長方形の底板４と；底板４の長辺の一に立設された前板５と；底板４の他の長辺に立設された前板５に対向する後板６と；底板４と前板５と後板６とに接続された左側面板７２と；底板４と前板５と後板６とに接続され左側面板７２に対向する右側面板７１とを備えて、直方体に形成され；前記直方体の６面のうち底板４に対向する一面３０が開口し；さらに、後板６に回動可能に連接され、前記回動により開口した一面３０を塞ぐように構成された蓋板２２と；底板４に対向した状態で、連接辺３９を介して前板５に連接され、包装媒体１２が包装媒体収納容器３の外へ飛び出すのを抑える抑え板３４であって、開口した一面３０を部分的に覆う抑え板３４とを備え；抑え板３４は、連接辺３９に対向する対向辺３７を有し；対向辺３７は、抑え板３４の中央部３４Ｂにおける幅Ｈｃ（図４）が両端部３４Ａの幅Ｈｂ（図４）よりも狭くなるように形成される。
【００１１】
このように構成すると、包装媒体収納容器は、抑え板を備え、抑え板は、連接辺に対向する対向辺を有し、対向辺は、抑え板の中央部における幅が両端部の幅よりも狭くなるように形成されるので、収納容器から包装媒体を引き出すときに、抑え板に接触した包装媒体が変形することがなく、抑え板が包装媒体に対して抵抗とならず、包装媒体を収納容器からスムーズに引き出すことができる。
【００１２】
包装媒体が、開口した一面を通過して包装媒体収納容器の外へ引き出されるように包装媒体収納容器を構成するとよい。対向辺は、抑え板が、抑え板の長手方向の中央部において、抑え板が前板に連接される連接辺に向かって退行して、抑え板の中央部における幅が両端部の幅より狭くなるよう曲線状に形成してもよい。
【００１３】
本発明の第２の態様に係る包装媒体収納容器３は、例えば図１に示すように、第１の態様の包装媒体収納容器において、対向辺３７は、抑え板３４の長手方向Ｚの両端部３４Ａの幅Ｈｂ（図４）が、開口した一面３０の短辺３０Ａの長さＨａ（図４）の２０％から９８％の間になるように形成され、抑え板３４の長手方向Ｚの中央部３４Ｂの幅Ｈｃ（図４）が、短辺３０Ａの長さＨａの０％から５０％の間になるように形成される。
【００１４】
このように構成すると、対向辺は、抑え板の長手方向の両端部の幅が、開口した一面の短辺の長さの２０％から９８％の間になるように形成され、抑え板の長手方向の中央部の幅が、短辺の長さの０％から５０％の間になるように形成されるので、収納容器から包装媒体を引き出すときに、抑え板に接触した包装媒体が変形することがなく、抑え板が包装媒体に対して抵抗とならず、包装媒体を収納容器からよりスムーズに引き出すことができる。
【００１５】
本発明の第３の態様に係る包装媒体収納容器３は、例えば図１に示すように、第１の態様または第２の態様の包装媒体収納容器において、対向辺３７は、抑え板３４の幅Ｈが、抑え板３４の長手方向Ｚに沿って中央部３４Ｂ（図４）から端部３４Ａに向かって、増加させるように形成される。
【００１６】
このように構成すると、対向辺は、抑え板の幅が、抑え板の長手方向に沿って中央部から端部に向かって、増加させるように形成されるので、収納容器から包装媒体を引き出すときに、抑え板に接触した包装媒体が変形することがなく、抑え板が包装媒体に対して抵抗とならず、包装媒体を収納容器からよりスムーズに引き出すことができる。
【００１７】
本発明の第４の態様に係る包装媒体収納容器３は、例えば図１に示すように、第１の態様乃至第３の態様のいずれか１の態様の包装媒体収納容器において、対向辺３７は、抑え板３４の長手方向Ｚに沿って凹に形成される。
【００１８】
このように構成すると、対向辺は、抑え板の長手方向に沿って凹に形成されるので、収納容器から包装媒体を引き出すときに、抑え板の長手方向に沿った全体に渡って、抑え板に接触した包装媒体が変形することがなく、抑え板が包装媒体に対して抵抗とならず、包装媒体を収納容器からよりスムーズに引き出すことができる。
【００１９】
上記目的を達成するために、本発明の第５の態様に係る包装媒体パッケージ１は、例えば図３において、第１の態様乃至第４の態様のいずれか１の態様に記載の包装媒体収納容器３（図１）と；包装媒体１２の先端部１７に引き出しシート２０を有し、引き出しシート２０が、引き出しシート２０を摘んで、包装媒体１２を包装媒体収納容器３（図１）の外へ引き出すことができるよう構成された包装媒体巻回体２とを備える。
【００２０】
このように構成すると、包装媒体巻回体が引き出しシートを有するので、引き出しシートを摘んで、包装媒体を包装媒体収納容器の外へ容易に引き出すことができる。なお、包装媒体の先端部とは、包装媒体巻回体の最外周に巻かれた包装媒体の自由端を含む、包装媒体巻回体の外周の長さ程度の部分をいう。引き出しシートが、包装媒体巻回体の回りに巻きつけられる場合も、包装媒体収納容器が、包装媒体の先端部に引き出しシートを有するものとする。
【発明の効果】
【００２１】
以上説明したように、本発明の包装媒体収納容器によれば、抑え板を備え、抑え板は、連接辺に対向する対向辺を有し、対向辺は、抑え板の中央部における幅が両端部の幅よりも狭くなるように形成されるので、収納容器から包装媒体を引き出すときに、抑え板に接触した包装媒体が変形することがなく、抑え板が包装媒体に対して抵抗とならず、包装媒体を収納容器からスムーズに引き出すことができる。
【図面の簡単な説明】
【００２２】
【図１】本発明の第１の実施の形態に係る包装媒体収納容器を備える包装媒体パッケージの斜視図である。
【図２】図１の包装媒体収納容器に収納された包装媒体巻回体の長手方向の中央部における径方向の断面図である。
【図３】包装媒体の先端部に引き出しシールが貼付された包装媒体巻回体の斜視図である。
【図４】図１の抑え板を備える、蓋板を省略した、包装媒体巻回体を収納する包装媒体収納容器の平面図である。
【図５】他の形状を有する抑え板を備える、蓋板を省略した、包装媒体巻回体を収納する包装媒体収納容器の平面図である。
【図６】さらに他の形状を有する抑え板を備える、蓋板を省略した、包装媒体巻回体を収納する包装媒体収納容器の平面図である。
【図７】従来の包装媒体パッケージの斜視図である。
【図８】図７の包装媒体パッケージの長手方向に直角な方向の断面図である。
【発明を実施するための形態】
【００２３】
以下、本発明の実施の形態について、図面を参照して説明する。なお、各図において互いに同一あるいは相当する部材には同一の符号を付し、重複した説明は省略する。
【００２４】
図１（Ａ）の斜視図を参照して、本発明の第１の実施の形態の包装媒体収納容器３（以下、適宜、収納容器３）を備える包装媒体パッケージ１（以下、適宜、パッケージ１）の構成を説明する。
【００２５】
パッケージ１は、巻回体２と、巻回体２を収納する収納容器３とを含んで構成される。パッケージ１は、典型的には、幅４４ｍｍ、高さ４４ｍｍ、長さ３１０ｍｍの大きさである。巻回体２は、食品包装用等に使用される包装媒体１２を円筒状の巻芯１０（図２）に巻きつけて巻回体２としたものである（図２参照）。巻回体２は、収納容器３の中に収納される（図２参照）。収納容器３は、例えば、厚紙またはボール紙などの紙素材（不図示）により形成される。収納容器３は、複数枚、または、１枚の紙素材（不図示）から形成することが可能である。
【００２６】
収納容器３は、容器本体１５を備える。容器本体１５は略直方体形状をなす。容器本体１５は、紙素材（不図示）を折り曲げて形成される。容器本体１５は、包装媒体１２が円筒状に巻かれた巻回体２を収容し、略長方形の開口した一面としての開口部３０を有し、当該開口部３０から巻回体２を出し入れすることができる。開口部３０は、長手方向Ｚの中心線１６（図１（Ａ）に一点鎖線で表示）を有する。
【００２７】
巻芯１０（図２）に巻かれた包装媒体１２は、ポリ塩化ビニリデンを原材料とする透明フィルムであるが、ポリ塩化ビニル、ポリエチレン、ポリメチルペンテン、もしくはこれらを組み合わせた多層フィルムであってもよい。また、包装媒体１２は、ロール紙、キッチンペーパ、アルミホイル、加熱調理用紙シート等であってもよい。
【００２８】
収納容器３は、底板４と、底板４の長辺３１に底板４に対し直角に立設された前板５と、長辺３１に対向する底板４の他の長辺３２に底板４に対し直角に立設された後板６と、底板４の長辺３１に対向する第２の連接辺３９を有する抑え板３４を備える。底板４、前板５、後板６、抑え板３４は、容器本体１５を構成する。底板４は、開口部３０に対向するよう配置されている。抑え板３４は、第２の連接辺３９において前板５に連接される。
【００２９】
抑え板３４は、略直方体形状の容器本体１５の形成に際し、第２の連接辺３９に沿って、開口部３０を部分的に塞ぐように前板５に対し９０度の角度で折り曲げられる。折り曲げは、第２の連接辺３９上で行われる。底板４、前板５、後板６は、長手方向Ｚに長い略長方形である。
【００３０】
底板４は長辺３１および他の長辺３２に加えて、長辺３１および他の長辺３２に直角な短辺６１を有する。収納容器３は、図中右側の右側面板７１と、図中左側の左側面板７２（以下、右側面板７１と、左側面板７２を区別する必要のない場合は、両者をひとくくりに側面板７１、７２と記載する。）とをさらに備える。側面板７１、７２は、それぞれ短辺６１（底板４の長手方向Ｚの端）に立設されている。側面板７１、７２は略正方形である。
【００３１】
収納容器３は、さらに、蓋板２２と、蓋前板２３とを備える。蓋板２２は、長手方向Ｚに直角な方向で底板４に平行な（蓋板２２が閉の場合に平行）長い略長方形である。蓋板２２は、底板４の他の長辺３２に対向する第１の連接辺３８を有し、第１の連接辺３８において後板６に回動可能に連接され、開口された開口部３０を塞ぐよう構成される。蓋前板２３は、第１の連接辺３８に対向する蓋板２２の長辺４０に蓋板２２に対して直角に立設され、蓋板２２が開口部３０を塞いだ状態のとき、前板５に沿って前板５の外側に重なるよう配置される。
【００３２】
蓋板２２は長辺である第１の連接辺３８と長辺４０に加えて、短辺６３を有する。収納容器３は、蓋側面板７３をさらに備える。蓋側面板７３は、それぞれ短辺６３に立設されている。蓋側面板７３は長手方向Ｚに直角な方向で底板４に平行な方向（蓋板２２が閉じた場合に平行）に長い略長方形である。
【００３３】
蓋前板２３は長辺４０に対向する側に下端辺４６を有し、包装媒体１２を切断するためのカッター２４が下端辺４６に沿って設けられている。カッター２４の先端には複数の刃を有する鋸刃８０が形成されている。カッター２４の一部は、蓋板２２を完全に閉じて（すなわち、蓋板２２が底板４に平行になって）、開口している開口部３０を塞いだ場合、底板４に直角で底板４に向かう方向に蓋前板２３から突出するように構成されている。
【００３４】
抑え板３４は、底板４に平行に配置されている状態にあるときに、開口部３０の中心線１６に一致する、長手方向Ｚに直角で底板４に平行な中心線（不図示）を有する。抑え板３４は、中心線１６を通る底板４に直角な面（不図示）に対し面対称である。
【００３５】
抑え板３４の端部３４Ａには、長手方向Ｚに直角に、折線５４がそれぞれ両方の端部３４Ａに重ねて形成されている。一方の折線５４と他方の折線５４との長手方向Ｚの間隔は、第１の連接辺３８と第２の連接辺３９を通る平面である開口部３０の長手方向Ｚの長さＬ１に等しく形成されている。抑え板３４には、開口部３０を越え長手方向Ｚに配置される延在部５５が設けられている。延在部５５は、折線５４で折り曲げられ、底板４に直角に、側面板７１、７２に沿って側面板７１、７２に平行に配置される。
【００３６】
図１（Ｂ）の部分斜視図に、延在部５５が、底板４に平行であり、折線５４で折り曲げられる前の状態を示す。延在部５５は、先端部７５に係合片７６を有する。延在部５５の先端部７５に重ねて折線６６が形成され、係合片７６は、折線６６で折り曲げができる。
【００３７】
左側面板７２は、底板４に直角に立設されている。左側面板７２には、左側面板７２を貫通して、折線５４に平行にスリット部７７が形成されている。延在部５５を折線５４で折り曲げ、左側面板７２に重ね、さらに係合片７６を折線６６で折り曲げ、係合片７６とスリット部７７とを係合させる。延在部５５は、左側面板７２の外側に重なるように折り曲がっている（図１（Ａ）参照）。この段落の左側面板７２に関する記載は、右側面板７１（図１（Ａ））にも該当する。
【００３８】
図１（Ａ）に戻り、併せて図２を参照して説明する。スリット部７７に係合した係合片７６（図１（Ｂ））は、側面板７１、７２を貫通して、収納容器３の内部に入り込み、さらに、巻回体２の巻芯１０の内周部８に接触し、巻回体２を支持するように構成されている。包装媒体１２の使用の開始前において、収納容器３内部の巻回体２の外周部９は、底板４の内側に接していてもよく、底板４の内側と外周部９との間に隙間（不図示）があって、係合片７６に支持されて巻回体２が底板４から浮き上がるようにしてもよい。
【００３９】
図１（Ａ）の矢視図、併せて図４の平面図を参照して説明する。抑え板３４は、第２の連接辺３９に対向する対向辺３７を有する。抑え板３４の長手方向Ｚの中央に形成された直線形状の中央部３４Ｂ（典型的には、長さが４０ｍｍ）における幅Ｈｃは、抑え板３４の端部３４Ａの幅Ｈｂよりも狭くなるよう形成されている。対向辺３７は、抑え板３４の長手方向Ｚの両端部３４Ａの幅Ｈｂが、開口した一面３０の短辺３０Ａの長さＨａの２０％から９８％の間になるように形成されている。幅Ｈｂは、好ましくは長さＨａの５０％から９０％の間、さらに好ましくは７０％から８５％の間になるように形成するとよい。対向辺３７は、抑え板３４の長手方向Ｚの中央の中央部３４Ｂの幅Ｈｃが、短辺３０Ａの長さＨａの０％から５０％の間になるように形成される。幅Ｈｃは、好ましくは１０％から４５％の間の、さらに好ましくは、２０％から４０％の間になるように形成するとよい。典型的には、長さＨａは４３ｍｍ、幅Ｈｂは３５ｍｍ、幅Ｈｃは１５ｍｍとするとよい。
【００４０】
抑え板３４の幅Ｈｃが、開口部３０の短辺３０Ａの長さＨａの０％の場合は、図示していないが、抑え板３４は、中央部３４Ｂを有さず、収納容器３は、長手方向Ｚに、典型的には４０ｍｍ離れて分離された、開口部３０と重なる部分が略直角三角形の二つの抑え板３４を備えることになる。
【００４１】
図３の斜視図に示すように、収納容器３（図１（Ａ））は、包装媒体１２の先端部１７に貼付して、包装媒体１２を収納容器３から引き出すときに、指（不図示）で摘む引き出しシートとしての引き出しシール２０を備えるようにしてもよい。引き出しシール２０の材質は、紙製としてもよく、フィルム製としてもよい。包装媒体１２の最初の使用時に、先端部１７が、包装媒体１２の幅方向Ｗ１で中央が突出する形状になっているようにし、さらに、引き出しシール２０は粘着層（不図示）を有し、使用者が包装媒体１２の先端部１７の中央に引き出しシール２０を貼付するようにするとよい。引き出しシール２０は、販売時に包装媒体パッケージ１（図１（Ａ））の表面に貼付されているようにしてもよく、巻回体２の外周部９（図２）であって巻回体２の長手方向の中央部に巻きつけるようにしてもよい（不図示）。引き出しシール２０を巻回体２の回りに巻きつける場合、引き出しシール２０の長さは、幅の倍程度から、販売時の巻回体２の外周と同じ程度、あるいはわずかに長い程度とするとよい。粘着層を有する引き出しシール２０の代わりに、引き出しシートとしての、粘着層を有しない引き出しテープ（不図示）（紙製、またはフィルム製）とし、販売時に、包装媒体１２に挟んで巻回体２の回りに巻き付け（不図示）、最初の使用時に引き出しテープを指で摘み引っ張ることにより、包装媒体１２を収納容器３から引き出して、包装媒体１２を使用できるようにしてもよい。
【００４２】
図４の平面図に示すように、対向辺３７は第２の連接辺３９に平行な平行部３７Ａと、平行部３７Ａを挟んで平行部３７Ａの両側に配置された、図中、下に（第１の連接辺３８から第２の連接辺３９に向かう方向に）凸に形成された下凸部３７Ｂとを有する。対向辺３７は、抑え板３４の幅Ｈが、抑え板３４の長手方向Ｚに沿って、中央部としての平行部３７Ａから端部３４Ａに向かって、増加するように形成されている。対向辺３７は、抑え板３４の長手方向Ｚに沿って凹の形状に形成されている。ここで、増加するとは、途中で減少することなく単調に増加することや、あるいは途中で減少することがあっても全体で増加することをいう。凹の形状に形成されているとは、直線部や、途中、変曲点を含む上に凸（第２の連接辺３９から第１の連接辺３８に向かう方向に凸）となる部分があっても、全体として凹の形状になっていればよい。このように抑え板３４を形成したので、対向辺３７と第１の連接辺３８との間に指を入れる隙間が確保され、包装媒体１２の先端部１７（図３）に、引き出しシール２０（図３）を貼り付け、包装媒体１２を容易に引き出せるようにすることができる。
【００４３】
図１（Ａ）の斜視図に示すように、本実施の形態の収納容器３によれば、対向辺３７が、上述のように形成されているので、収納容器３から引き出される包装媒体１２が、対向辺３７に接触しても、対向辺３７が包装媒体１２の引き出しに際し抵抗とならず、対向辺３７と包装媒体１２が接触することにより、包装媒体１２は変形せず、包装媒体１２を収納容器３からスムーズに引き出すことができる。
【００４４】
係合片７６とスリット部７７とが係合するので、抑え板３４は、底板４に対向して配置され、収納容器３から包装媒体１２（図２）を引き出すときに、巻回体２（図２）が収納容器３内で浮き上がると、抑え板３４により抑えられる。よって、巻回体２が収納容器３の外部に飛び出すことを抑え板３４により確実に防止できる。抑え板３４は、蓋板２２が開の状態になっているときでも、巻回体２が収納容器３の外部に飛び出すことを確実に防止できる。また、抑え板３４は、蓋板２２が開の状態になっているときであって、包装媒体１２が収納容器３内に戻ってしまったときでも、巻回体２が収納容器３の外部に飛び出すことを確実に防止でき、巻回体２が収納容器３の外部に飛び出すことによる包装媒体１２の汚染を防止できる。
【００４５】
蓋板２２が開の状態になっているときに、収納容器３から引き出された包装媒体１２を手から離しても、包装媒体１２は、抑え板３４にかぶさり、包装媒体１２と抑え板３４との間に摩擦力が働き、この摩擦力が、包装媒体１２が収納容器３に戻ろうとする力に対して抵抗力として働き、包装媒体１２が収納容器３に戻りにくい構造となっている。
【００４６】
抑え板３４は、第２の連接辺３９にて前板５に連接され、収納容器３に対して回動しないように固定されている。したがって、抑え板３４の前板５の連接に対し、回動に対処するため連接を強固にする等の対策が不要となる。抑え板３４は、素材の段階で前板５と一体に形成することにより、接着剤を使用しないで収納容器３に固定することができる。  
【００４７】
図５（図４との共通の符号は適宜記載を省略している）の平面図に示すように、対向辺３７は第２の連接辺３９に平行な平行部３７Ａと、平行部３７Ａを挟んで形成された、第２の連接辺３９に対し斜めの直線形状に形成された斜め直線部３７Ｃとを有するようにしてもよい。この場合も、対向辺３７は、抑え板３４の幅Ｈが、抑え板３４の長手方向Ｚに沿って、平行部３７Ａから端部３４Ａに向かって、増加するように形成される。また、対向辺３７は、抑え板３４の長手方向Ｚに沿って凹の形状に形成される。このように構成すると、対向辺３７は、３つの直線部から構成されているので、対向辺３７の形成が容易となる。
【００４８】
図６（図４との共通の符号は適宜記載を省略している）の平面図に示すように、対向辺３７は、図中、下に（第１の連接辺３８から第２の連接辺３９に向かう方向に）凸に形成された下凸部３７Ｂと、図中、上に（第２の連接辺３９から第１の連接辺３８に向かう方向に）凸に形成された上凸部３７Ｄとを有するようにしてもよい。対向辺３７は、下凸部３７Ｂと上凸部３７Ｄとの間に変曲点４７を有する。この場合も、対向辺３７は、上に凸に形成された上凸部３７Ｄとを有していても、抑え板３４の幅Ｈが、抑え板３４の長手方向Ｚに沿って中点３７Ｅから端部３４Ａに向かって増加する傾向にあり、増加するように形成される。このように構成すると、図４に記載の対向辺３７を有する場合と同様に、包装媒体１２は変形せず、包装媒体１２を収納容器３（図４）からスムーズに引き出すことができる。
【符号の説明】
【００４９】
１  包装媒体パッケージ（パッケージ）
２  包装媒体巻回体（巻回体）
３  包装媒体収納容器（収納容器）
４  底板
５  前板
６  後板
８  内周部
９  外周部
１０  巻芯
１２  包装媒体
１５  容器本体
１６  中心線
１７  先端部
２０  引き出しシール
２２  蓋板
２３  蓋前板
２４  カッター
３０  開口部
３０Ａ  一面の短辺
３１  底板の長辺
３２  底板の他の長辺
３４  抑え板
３４Ａ  端部
３４Ｂ  中央部
３７  対向辺
３７Ａ  平行部
３７Ｂ  下凸部
３７Ｃ  斜め直線部
３７Ｄ  上凸部
３７Ｅ  中点
３８  第１の連接辺
３９  第２の連接辺
４０  蓋板の長辺
４６  蓋前板の下端辺
４７  変曲点
５４  折線
５５  延在部
６１  底板の短辺
６３  蓋板の短辺
６６  折線
７１  右側面板
７２  左側面板
７３  蓋側面板
７５  先端部
７６  係合片
７７  スリット部
８０  鋸刃
Ｈ  抑え板の幅
Ｈａ  短辺の長さ
Ｈｂ  抑え板の端部の幅
Ｈｃ  抑え板の中央部の幅
Ｌ１  開口部の長手方向の長さ
Ｗ１  幅方向
Ｚ  長手方向
【図１】
2012250754.tif 000003
【図２】
2012250754.tif 000004
【図３】
2012250754.tif 000005
【図４】
2012250754.tif 000006
【図５】
2012250754.tif 000007
【図６】
2012250754.tif 000008
【図７】
2012250754.tif 000009
【図８】
2012250754.tif 000010